(57)【要約】      （修正有）【課題】伸縮式の陳列棚に組み立て可能であり、本体同士の接続を確実に保つことができるシートセットを提供する。【解決手段】本考案の一態様に係るシートセットは、第１底板１と、第１底板の後縁から延出し、上方に折り曲げられる第１背板２と、第１底板の前縁から延出し、上方に折り曲げられる第１前板３と、第１底板の側縁から延出し、第１背板及び第１前板に接続される第１側板４とを有する第１本体用シート１０と、第２底板２１と、第２底板の後縁から延出し、上方に折り曲げられる第２背板２２と、第２底板の前縁から延出し、上方に折り曲げられる第２前板２３と、第２底板の側縁から延出し、第２背板及び第２前板に接続される第２側板２４とを有する第２本体用シート２０とを備え、第１底板に、左右方向に延びるスライド用スリットが設けられており、第２底板に、スライド用スリットにスライド可能に挿入される舌片が画定されている。【選択図】図１
0003233569.tif 000002
【実用新案登録請求の範囲】
【請求項１】
矩形状の第１底板と、上記第１底板の後縁から延出し、上記第１底板の上方に折り曲げられる第１背板と、上記第１底板の前縁から延出し、上記第１底板の上方に折り曲げられる第１前板と、上記第１底板の左右方向一方側の側縁から延出し、上記第１底板の上方に折り曲げられて上記第１背板及び上記第１前板に接続される第１側板とを有する第１本体用シートと、
矩形状の第２底板と、上記第２底板の後縁から延出し、上記第２底板の上方に折り曲げられる第２背板と、上記第２底板の前縁から延出し、上記第２底板の上方に折り曲げられる第２前板と、上記第２底板の左右方向他方側の側縁から延出し、上記第２底板の上方に折り曲げられて上記第２背板及び上記第２前板に接続される第２側板とを有する第２本体用シートと
を備え、
上記第１底板と上記第２底板とが重なり合って配置されることで伸縮式の陳列棚として構成可能であり、
上記第１底板に、左右方向に延びるスライド用スリットが設けられており、
上記第２底板に、上記スライド用スリットにスライド可能に挿入される舌片が画定されているシートセット。
【請求項２】
上記第１底板上に配置される第１陳列台に組み立てられる第１陳列台用シートと、
上記第２底板上に配置される第２陳列台に組み立てられる第２陳列台用シートと
をさらに備える請求項１に記載のシートセット。
【請求項３】
上記第１陳列台用シートが、上記第１底板と間隔を空けて上記第１底板と平行に配置される第１陳列板と、上記第１陳列板の前縁及び後縁から延出し、上記第１陳列板を上記第１底板から離間して保持するよう下方に折り曲げられる一対の第１脚板とを有し、
上記第２陳列台用シートが、上記第２底板と間隔を空けて上記第２底板と平行に配置される第２陳列板と、上記第２陳列板の前縁及び後縁から延出し、上記第２陳列板を上記第２底板から離間して保持するように下方に折り曲げられる一対の第２脚板とを有する請求項２に記載のシートセット。
【請求項４】
上記第１背板及び上記第２背板に、左右方向に延びる係止用スリットが設けられており、
上記係止用スリットに挿入される凸部を有し、上記凸部が上記係止用スリットに挿入されることで、上記第１背板及び上記第２背板から上方に突出するように配置される表示板をさらに備える請求項１、請求項２又は請求項３に記載のシートセット。
【請求項５】
上記第１背板及び上記第２背板のそれぞれが、上記係止用スリットが設けられる後面板と、上記係止用スリットを覆うように上記後面板の前面側に折り重ねられる前面板とを有する請求項４に記載のシートセット。
【考案の詳細な説明】
【技術分野】
【０００１】
本考案は、シートセットに関する。
【背景技術】
【０００２】
段ボールシート等から組み立てられる伸縮式の陳列棚が提案されている（実用新案登録第３１５０８５６号公報参照）。
【先行技術文献】
【特許文献】
【０００３】
【特許文献１】実用新案登録第３１５０８５６号公報
【考案の概要】
【考案が解決しようとする課題】
【０００４】
特許文献１に記載されている陳列棚は、第１底面部、この第１底面部の後端から上方に延びる第１背面部、及び上記第１底面部の左端に配置される左側面板部を有する左側本体（左側構成部）と、第２底面部、この第２底面部の後端から上方に延びる第２背面部、及び上記第２底面部の右端に配置される右側面板部を有する右側本体（右側構成部）とを備えている。この陳列棚は、第１底面部が第２底面部に側方から挿入され、かつ第１背面部が第２背面部に側方から挿入されることで、左側本体と右側本体とがスライド可能に接続されている。
【０００５】
しかしながら、特許文献１に記載されている構成によると、左側本体と右側本体とを互いに離間する方向にスライドさせた場合に、左側本体が右側本体から抜け出るおそれがある。
【０００６】
本考案は、このような事情に基づいてなされたものであり、伸縮式の陳列棚に組み立て可能であり、本体同士の接続を確実に保つことができるシートセットを提供することを目的とする。
【課題を解決するための手段】
【０００７】
上記課題を解決するためになされた本考案の一態様に係るシートセットは、矩形状の第１底板と、上記第１底板の後縁から延出し、上記第１底板の上方に折り曲げられる第１背板と、上記第１底板の前縁から延出し、上記第１底板の上方に折り曲げられる第１前板と、上記第１底板の左右方向一方側の側縁から延出し、上記第１底板の上方に折り曲げられて上記第１背板及び上記第１前板に接続される第１側板とを有する第１本体用シートと、矩形状の第２底板と、上記第２底板の後縁から延出し、上記第２底板の上方に折り曲げられる第２背板と、上記第２底板の前縁から延出し、上記第２底板の上方に折り曲げられる第２前板と、上記第２底板の左右方向他方側の側縁から延出し、上記第２底板の上方に折り曲げられて上記第２背板及び上記第２前板に接続される第２側板とを有する第２本体用シートとを備え、上記第１底板と上記第２底板とが重なり合って配置されることで伸縮式の陳列棚として構成可能であり、上記第１底板に、左右方向に延びるスライド用スリットが設けられており、上記第２底板に、上記スライド用スリットにスライド可能に挿入される舌片が画定されている。
【考案の効果】
【０００８】
本考案の一態様に係るシートセットは、伸縮式の陳列棚に組み立て可能であり、本体同士の接続を確実に保つことができる。
【図面の簡単な説明】
【０００９】
【図１】図１は、本考案の一実施形態に係るシートセットを構成する第１本体用シート及び第２本体用シートを示す模式的展開図である。
【図２】図２は、本考案の一実施形態に係るシートセットを構成する第１陳列台用シート及び第２陳列台用シートを示す模式的展開図である。
【図３】図３は、本考案の一実施形態に係るシートセットを構成する表示板を示す模式的展開図である。
【図４】図４は、図１から図３のシートセットを組み立ててなる陳列棚の縮幅状態を示す模式的斜視図である。
【図５】図５は、図４の陳列棚の模式的背面図である。
【図６】図６は、図３の陳列棚の伸幅状態を示す模式的斜視図である。
【図７】図７は、図６の陳列棚の模式的背面図である。
【図８】図８は、図６の陳列棚の第１本体及び第２本体の接続状態を示す模式的平面図である。
【図９】図９は、図７の陳列棚のＩＸ−ＩＸ線断面図である。
【考案を実施するための形態】
【００１０】
［本考案の実施形態の説明］
最初に本考案の実施態様を列記して説明する。
【００１１】
本考案の一態様に係るシートセットは、矩形状の第１底板と、上記第１底板の後縁から延出し、上記第１底板の上方に折り曲げられる第１背板と、上記第１底板の前縁から延出し、上記第１底板の上方に折り曲げられる第１前板と、上記第１底板の左右方向一方側の側縁から延出し、上記第１底板の上方に折り曲げられて上記第１背板及び上記第１前板に接続される第１側板とを有する第１本体用シートと、矩形状の第２底板と、上記第２底板の後縁から延出し、上記第２底板の上方に折り曲げられる第２背板と、上記第２底板の前縁から延出し、上記第２底板の上方に折り曲げられる第２前板と、上記第２底板の左右方向他方側の側縁から延出し、上記第２底板の上方に折り曲げられて上記第２背板及び上記第２前板に接続される第２側板とを有する第２本体用シートとを備え、上記第１底板と上記第２底板とが重なり合って配置されることで伸縮式の陳列棚として構成可能であり、上記第１底板に、左右方向に延びるスライド用スリットが設けられており、上記第２底板に、上記スライド用スリットにスライド可能に挿入される舌片が画定されている。
【００１２】
当該シートセットによると、上記第１本体用シートを組み立ててなる第１本体と、上記第２本体用シートを組み立ててなる第２本体とを、上記第１本体の第１底板と上記第２本体の第２底板とが重なり合うように配置することで、上記第１本体と上記第２本体とを左右方向にスライド可能に構成できる。当該シートセットは、上記第１底板に設けられているスライド用スリットに、上記第２底板に画定されている舌片を挿入することで、上記第１本体と上記第２本体とがスライド可能に係合されるので、上記第１本体と上記第２本体との接続を確実に保つことができる。
【００１３】
当該シートセットは、上記第１底板上に配置される第１陳列台に組み立てられる第１陳列台用シートと、上記第２底板上に配置される第２陳列台に組み立てられる第２陳列台用シートとをさらに備えるとよい。このように、上記第１底板上に配置される第１陳列台に組み立てられる第１陳列台用シートと、上記第２底板上に配置される第２陳列台に組み立てられる第２陳列台用シートとをさらに備えることによって、上記スライド用スリット及び上記舌片が物品の陳列面に露出するのを防止できる。その結果、上記第１本体と上記第２本体との接続をより確実に保つことができると共に、物品をより適切に陳列することができる。
【００１４】
上記第１陳列台用シートが、上記第１底板と間隔を空けて上記第１底板と平行に配置される第１陳列板と、上記第１陳列板の前縁及び後縁から延出し、上記第１陳列板を上記第１底板から離間して保持するよう下方に折り曲げられる一対の第１脚板とを有し、上記第２陳列台用シートが、上記第２底板と間隔を空けて上記第２底板と平行に配置される第２陳列板と、上記第２陳列板の前縁及び後縁から延出し、上記第２陳列板を上記第２底板から離間して保持するように下方に折り曲げられる一対の第２脚板とを有するとよい。このように、上記第１陳列台用シートが、上記第１底板と間隔を空けて上記第１底板と平行に配置される第１陳列板と、上記第１陳列板の前縁及び後縁から延出し、上記第１陳列板を上記第１底板から離間して保持するよう下方に折り曲げられる一対の第１脚板とを有し、上記第２陳列台用シートが、上記第２底板と間隔を空けて上記第２底板と平行に配置される第２陳列板と、上記第２陳列板の前縁及び後縁から延出し、上記第２陳列板を上記第２底板から離間して保持するように下方に折り曲げられる一対の第２脚板とを有することによって、上記第１陳列台及び上記第２陳列台と、上記舌片との接触を容易に抑制できる。その結果、上記第１本体と上記第２本体との接続をさらに確実に保つことができる。
【００１５】
上記第１背板及び上記第２背板に、左右方向に延びる係止用スリットが設けられており、上記係止用スリットに挿入される凸部を有し、上記凸部が上記係止用スリットに挿入されることで、上記第１背板及び上記第２背板から上方に突出するように配置される表示板をさらに備えるとよい。このように、上記第１背板及び上記第２背板から上方に突出するように配置される表示板をさらに備えることで、陳列棚に陳列される物品の表示機能を高めることができる。
【００１６】
上記第１背板及び上記第２背板のそれぞれが、上記係止用スリットが設けられる後面板と、上記係止用スリットを覆うように上記後面板の前面側に折り重ねられる前面板とを有するとよい。このように、上記第１背板及び上記第２背板のそれぞれが、上記係止用スリットが設けられる後面板と、上記係止用スリットを覆うように上記後面板の前面側に折り重ねられる前面板とを有することによって、上記係止用スリットが、正面視で物品の背面側に露出することを抑制でき、物品をより適切に陳列することができる。
【００１７】
なお、本考案において、「矩形状」とは、完全な矩形に限定されず、例えば前後縁又は側縁に部分的な凹凸が形成されている形状を含む。また、「前」、「後」、「左右」、「上」とは、当該シートセットが陳列棚に組み立てられた状態での相対的な位置関係を示している。
【００１８】
［本考案の実施形態の詳細］
以下、適宜図面を参照しつつ、本考案の実施の形態を詳説する。
【００１９】
［シートセット］
図１から図３に示すように、当該シートセットは、第１本体用シート１０と、第２本体用シート２０と、第１陳列台用シート４０と、第２陳列台用シート５０と、表示板６０とを備える。当該シートセットは、図４から図９に示す伸縮式の陳列棚７０に組み立てられる。なお、図１から図３において、太い実線はシートを切断して形成される切断線を示し、細い実線はシートの片面を筋押しして形成される罫線を示す。
【００２０】
当該シートセットに用いられるシートとしては、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。上記段ボールシートとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。
【００２１】
（第１本体用シート）
第１本体用シート１０は、第１本体７１に組み立てられる。第１本体用シート１０は、矩形状の第１底板１と、第１底板１の後縁１ａから延出し、第１底板１の上方に折り曲げられる第１背板２と、第１底板１の前縁１ｂから延出し、第１底板１の上方に折り曲げられる第１前板３と、第１底板１の左右方向一方側（陳列棚７０に組み立てられた状態で第２本体用シート２０と接続される側の反対側）の側縁１ｃから延出し、第１底板１の上方に折り曲げられる第１側板４とを有する。第１側板４は、第１底板１の上方に折り曲げられて第１背板２及び第１前板３に接続される。
【００２２】
（第１底板）
第１底板１には、左右方向に延びるスライド用スリット（第１スライド用スリット１１ａ〜第３スライド用スリット１１ｃ）が設けられている。スライド用スリット１１ａ〜１１ｃの長手方向の両端部は、それぞれ第１底板１の内部に位置している（すなわち、スライド用スリット１１ａ〜１１ｃの長手方向の端部は、第１底板１の側縁までは至っていない）。第１スライド用スリット１１ａ及び第２スライド用スリット１１ｂは、後述する舌片３１ａ、３１ｂが挿入されて舌片スライド用レールとして機能する。また、第３スライド用スリット１１ｃは、後述する突片３３が挿入されて突片スライド用レールとして機能する。
【００２３】
（第１背板）
第１背板２は、第１底板１の後縁１ａから延出する後面板２ａと、後面板２ａの先端縁から延出し、後面板２ａの前面側に折り重ねられる前面板２ｂとを有する。また、第１背板２は、前面板２ｂの先端縁から延出する折り込み片２ｃと、後面板２ａ及び前面板２ｂの側縁（陳列棚７０に組み立てられた状態で第２本体用シート２０と接続される側の反対側の側縁）から延出する接続片２ｄ、２ｅとを有する。後面板２ａには、左右方向に延びる係止用スリット１２が設けられている。前面板２ｂは、係止用スリット１２を覆うように後面板２ａの前面側に折り重ねられる。折り込み片２ｃは、後面板２ａと前面板２ｂとの間に折り込まれて、スペーサとして機能する。
【００２４】
（第１前板）
第１前板３は、第１底板１の前縁１ｂから延出する正面板３ａと、正面板３ａの先端縁から延出し、正面板３ａの背面側に折り重ねられる内面板３ｂと、内面板３ｂの先端縁から延出する折り込み片３ｃと、正面板３ａ及び内面板３ｂの側縁（陳列棚７０に組み立てられた状態で第２本体用シート２０と接続される側の反対側の側縁）から延出する接続片３ｄ、３ｅとを有する。折り込み片３ｃは、正面板３ａと内面板３ｂとの間に折り込まれて、スペーサとして機能する。
【００２５】
（第１側板）
第１側板４は、第１底板１の側縁１ｃから延出する外面板４ａと、外面板４ａに連接され、外面板４ａの内面側に折り重ねられる内面板４ｂとを有する。第１側板４の上縁は、第１本体用シート１０が第１本体７１に組み立てられた状態で、前方から後方に向けて下方から上方に傾斜している。第１側板４は、外面板４ａと内面板４ｂとの間に接続片２ｄ、２ｅ、３ｄ、３ｅを挟み込むことで、第１背板２及び第１前板３と接続される。
【００２６】
（第２本体用シート）
第２本体用シート２０は、第２本体７２に組み立てられる。第２本体用シート２０は、矩形状の第２底板２１と、第２底板２１の後縁２１ａから延出し、第２底板２１の上方に折り曲げられる第２背板２２と、第２底板２１の前縁２１ｂから延出し、第２底板２１の上方に折り曲げられる第２前板２３と、第２底板２１の左右方向他方側（陳列棚７０に組み立てられた状態で第１本体用シート１０と接続される側の反対側）の側縁２１ｃから延出し、第２底板２１の上方に折り曲げられる第２側板２４とを有する。第２側板２４は、第２底板２１の上方に折り曲げられて第２背板２２及び第２前板２３に接続される。
【００２７】
（第２底板）
第２底板２１には、スライド用スリット１１ａ、１１ｂにスライド可能に挿入される舌片（第１舌片３１ａ及び第２舌片３１ｂ）が画定されている。第１舌片３１ａは第１スライド用スリット１１ａに下方から挿入され、第２舌片３１ｂは第２スライド用スリット１１ｂに下方から挿入される。
【００２８】
（第２背板）
第２背板２２は、第２底板２１の後縁２１ａから延出する後面板２２ａと、後面板２２ａの先端縁から延出し、後面板２２ａの前面側に折り重ねられる前面板２２ｂとを有する。また、第２背板２２は、後面板２２ａ及び前面板２２ｂの側縁（陳列棚７０に組み立てられた状態で第１本体用シート１０と接続される側の反対側の側縁）から延出する接続片２２ｄ、２２ｅを有する。後面板２２ａには、左右方向に延びる係止用スリット３２が設けられている。前面板２２ｂは、係止用スリット３２を覆うように後面板２２ａの前面側に折り重ねられる。
【００２９】
（第２前板）
第２前板２３は、第２底板２１の前縁２１ｂから延出する正面板２３ａと、正面板２３ａの先端縁から延出し、正面板２３ａの背面側に折り重ねられる内面板２３ｂと、正面板２３ａ及び内面板２３ｂの側縁（陳列棚７０に組み立てられた状態で第１本体用シート１０と接続される側の反対側の側縁）から延出する接続片２３ｄ、２３ｅとを有する。内面板２３ｂは、その先端縁に、上述の第３スライド用スリット１１ｃに上方からスライド可能に挿入される突片３３を有する。
【００３０】
（第２側板）
第２側板２４は、第２底板２１の側縁２１ｃから延出する外面板２４ａと、外面板２４ａに連接され、外面板２４ａの内面側に折り重ねられる内面板２４ｂとを有する。第２側板２４の上縁は、第２本体用シート２０が第２本体７２に組み立てられた状態で、前方から後方に向けて下方から上方に傾斜している。第２側板２４は、外面板２４ａと内面板２４ｂとの間に接続片２２ｄ、２２ｅ、２３ｄ、２３ｅを挟み込むことで、第２背板２２及び第２前板２３と接続される。
【００３１】
（第１本体と第２本体との接続構造）
図８及び図９に示すように、第１本体７１と第２本体７２とは、第１底板１と第２底板２１とが重なり合って配置されることで左右方向に伸縮可能に接続される。すなわち、第２底板２１に設けられている第１舌片３１ａ及び第２舌片３１ｂが、それぞれ第１底板１に形成されている第１スライド用スリット１１ａ及び第２スライド用スリット１１ｂにスライド可能に挿入され、第２前板２３に形成されている突片３３が、第１底板１に形成されている第３スライド用スリット１１ｃにスライド可能に挿入されることで、第１本体７１と第２本体７２とは左右方向に伸縮可能に接続される。またこの際、第１本体７１及び第２本体７２は、第１本体７１の第１背板２が第２本体７２の第２背板２２内（後面板２２ａと前面板２２ｂとの間の隙間）に挿入され、第１本体７１の第１前板３が第２本体７２の第２前板２３内（正面板２３ａと内面板２３ｂとの間の隙間）に挿入される。これにより、図４から図７に示すように、当該シートセットを組み立ててなる陳列棚７０は、伸縮式の陳列棚として構成される。
【００３２】
（第１陳列台用シート）
第１陳列台用シート４０は、第１底板１上に配置される第１陳列台７３に組み立てられる。図２及び図９に示すように、第１陳列台用シート４０は、第１底板１と間隔を空けて第１底板１と平行に配置される第１陳列板４１と、第１陳列板４１の前縁及び後縁から延出し、第１陳列板４１を第１底板１から離間して保持するよう下方に折り曲げられる一対の第１脚板４２とを有する。また、第１陳列台用シート４０は、第１陳列板４１の左右方向一方側（陳列棚７０に組み立てられた状態で第２本体用シート２０と接続される側の反対側）の側縁から延出し、第１本体７１の第１側板４に固定される舌片４３と、第１陳列板４１の左右方向他方側の側縁から延出し、第１陳列板４１を第１底板１から離間して保持するよう下方に折り曲げられる側方脚板４４とを有する。
【００３３】
（第２陳列台用シート）
第２陳列台用シート５０は、第２底板２１上に配置される第２陳列台７４に組み立てられる。図２及び図９に示すように、第２陳列台用シート５０は、第２底板２１と間隔を空けて第２底板２１と平行に配置される第２陳列板５１と、第２陳列板５１の前縁及び後縁から延出し、第２陳列板５１を第２底板２１から離間して保持するように下方に折り曲げられる一対の第２脚板５２とを有する。
【００３４】
（表示板）
表示板６０は、互いに折り重ねられる一対の折重板６１を有する。表示板６０は、第１背板２及び第２背板２２に設けられている係止用スリット１２、３２に挿入される凸部６１ａを有する。凸部６１ａは、折重板６１の先端縁にそれぞれ設けられている。凸部６１ａは、一対の折重板６１同士が折り重ねられた状態で、互いに重なり合うように設けられている。図４から図７に示すように、表示板６０は、凸部６１ａが係止用スリット１２、３２に挿入されることで、第１背板２及び第２背板２２から上方に突出するように配置される。当該シートセットは、表示板６０を備えることで、陳列棚７０に陳列される物品の表示機能を高めることができる。
【００３５】
また、当該シートセットは、第１背板２及び第２背板２２の後面板２ａ、２２ａに係止用スリット１２、３２が設けられており、陳列棚７０に組み立てられた状態の正面視において、係止用スリット１２、３２は、前面板２ｂ、２２ｂによって隠蔽されている。そのため、当該シートセットは、係止用スリット１２、３２が物品の背面側に露出することを抑制でき、物品をより適切に陳列することができる。
【００３６】
＜利点＞
当該シートセットによると、第１本体用シート１０を組み立ててなる第１本体７１と、第２本体用シート２０を組み立ててなる第２本体７２とを、第１本体７１の第１底板１と第２本体７２の第２底板２１とが重なり合うように配置することで、第１本体７１と第２本体７２とを左右方向にスライド可能に構成できる。当該シートセットは、第１底板１に設けられているスライド用スリット１１ａ、１１ｂに、第２底板２１に画定されている舌片３１ａ、３１ｂを挿入することで、第１本体７１と第２本体７２とがスライド可能に係合されるので、第１本体７１と第２本体７２との接続を確実に保つことができる。
【００３７】
当該シートセットは、第１底板１上に配置される第１陳列台７３に組み立てられる第１陳列台用シート４０と、第２底板２１上に配置される第２陳列台７４に組み立てられる第２陳列台用シート５０とを備えるので、スライド用スリット１１ａ、１１ｂ及び舌片３１ａ、３１ｂが物品の陳列面に露出するのを防止できる。その結果、第１本体７１と第２本体７２との接続をより確実に保つことができると共に、物品をより適切に陳列することができる。
【００３８】
当該シートセットは、第１陳列台用シート４０が、第１陳列板４１を第１底板１から離間して保持するよう下方に折り曲げられる一対の第１脚板４２を有し、第２陳列台用シート５０が、第２陳列板５１を第２底板２１から離間して保持するように下方に折り曲げられる一対の第２脚板５２を有するので、第１陳列台７３及び第２陳列台７４と、舌片３１ａ、３１ｂとの接触を容易に抑制できる。その結果、第１本体７１と第２本体７２との接続をさらに確実に保つことができる。
【００３９】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４０】
例えば当該シートセットは、上述の第１本体用シート、第２本体用シート、第１陳列台用シート、第２陳列台用シート及び表示板以外のシートをさらに備えていてもよい。例えば当該シートセットは、上記後面板と上記前面板との間に配置されて上記第１背板を補強する背板補強板や、上記第１底板と上記第１陳列台との間に配置されて上記第１陳列台の強度を高める陳列台補強板等を備えていてもよい。
【００４１】
当該シートセットは、物品の表示機能の向上を図ることを要しないような場合には、上述の表示板を備えていなくてもよい。また、この場合には、上記第１背板及び上記第２背板には、上述の係止用スリットは設けられていなくてもよい。
【産業上の利用可能性】
【００４２】
以上のように、本考案の一態様に係るシートセットは、本体同士の接続が確実な伸縮式の陳列棚に組み立てられるのに適している。
【符号の説明】
【００４３】
１  第１底板
１ａ、２１ａ  後縁
１ｂ、２１ｂ  前縁
１ｃ、２１ｃ  側縁
２  第１背板
２ａ、２２ａ  後面板
２ｂ、２２ｂ  前面板
２ｃ、３ｃ  折り込み片
２ｄ、２ｅ、３ｄ、３ｅ、２２ｄ、２２ｅ、２３ｄ、２３ｅ  接続片
３  第１前板
３ａ、２３ａ  正面板
３ｂ、２３ｂ  内面板
４  第１側板
４ａ、２４ａ  外面板
４ｂ、２４ｂ  内面板
１０  第１本体用シート
１１ａ  第１スライド用スリット
１１ｂ  第２スライド用スリット
１１ｃ  第３スライド用スリット
１２、３２  係止用スリット
２０  第２本体用シート
２１  第２底板
２２  第２背板
２３  第２前板
２４  第２側板
３１ａ  第１舌片
３１ｂ  第２舌片
３３  突片
４０  第１陳列台用シート
４１  第１陳列板
４２  第１脚板
４３  舌片
４４  側方脚板
５０  第２陳列台用シート
５１  第２陳列板
５２  第２脚板
６０  表示板
６１  折重板
６１ａ  凸部
７０  陳列棚
７１  第１本体
７２  第２本体
７３  第１陳列台
７４  第２陳列台
【図１】
0003233569.tif 000003
【図２】
0003233569.tif 000004
【図３】
0003233569.tif 000005
【図４】
0003233569.tif 000006
【図５】
0003233569.tif 000007
【図６】
0003233569.tif 000008
【図７】
0003233569.tif 000009
【図８】
0003233569.tif 000010
【図９】
0003233569.tif 000011